(57)【要約】【課題】各記録パターンに対してレーザ光の基準波形を設け、フロントモニタの検出による発光波形と前記基準波形とのズレを補正する補正値の算出を行うことができる光ディスク記録再生装置を提供する。【解決手段】光ピックアップのレーザダイオードを特定パターンで駆動させ、特定パターンでのレーザ光の発光を行い、レーザダイオードから出射されたレーザ光の出射光量をモニタするフロントモニタの検出信号によりレーザ光の波形を検出する。レーザ光の波形と特定パターンの波形とのズレ量が所定内であるか所定外であるかを判定する。ズレ量が所定外であると判定されたとき、ズレ量を補正するための補正値を変更する。ズレ量が所定内であると判定されたとき、ズレ量に応じてレーザ光の波形に対する補正値を算出し、メモリに記憶させる。【選択図】図４
2009026422.tif 000002
【特許請求の範囲】
【請求項１】
光ディスクに対して情報の書き込み／読み出しを光学的に行う光ピックアップを備え、光ディスクに対して情報の記録／再生を行う光ディスク記録再生装置において、
各記録パターンに対して前記光ピックアップのレーザダイオードから出射されるレーザ光の基準波形を示す特定パターンを予め記憶したメモリと、
前記光ピックアップのレーザダイオードを前記特定パターンで駆動させ、前記特定パターンでのレーザ光の発光を行うレーザ発光制御手段と、
前記レーザダイオードから出射されたレーザ光の出射光量をモニタするフロントモニタの検出信号により前記レーザ光の波形を検出するレーザ波形検出手段と、
前記レーザ光の波形と前記特定パターンの波形とのズレ量が所定内であるか所定外であるかを判定するズレ量判定手段と、
前記ズレ量が所定外であると判定されたとき、前記ズレ量を補正するための補正値を変更する補正値変更手段と、
前記ズレ量が所定内であると判定されたとき、前記ズレ量に応じて前記レーザ光の波形に対する補正値を算出する補正値算出手段と、
前記算出された補正値をメモリに記憶させる補正値記憶手段とを備えたことを特徴とする光ディスク記録再生装置。
【請求項２】
前記補正値算出手段により行われる補正値の算出は、ズレ量が所定内になるように補正するためのズレ量と補正値との関係を示すテーブルを参照して行うことを特徴とする請求項１に記載の光ディスク記録再生装置。
【請求項３】
前記レーザ光の波形と前記特定パターンの波形とのズレ量は、前記レーザ光の波形のパルス幅から前記特定パターンの波形のパルス幅を差し引いて求めることを特徴とする請求項１に記載の光ディスク記録再生装置。
【発明の詳細な説明】
【技術分野】
【０００１】
本発明は、光ディスクに対して情報の記録／再生を行う光ディスク記録再生装置に関し、特に、レーザ光の発光波形を補正するための補正値の算出処理に関する。
【背景技術】
【０００２】
従来から光ディスク記録再生装置においては、光ピックアップから出射されたレーザ光を光ディスクの記録面に照射して、光ディスクに情報を記録したり、光ディスクに記録された情報を再生したりしている。記録や再生の動作を安定に行うためには、レーザ光量を一定に保つことが重要である。レーザ光は、光ピックアップ内のレーザダイオードから出射され、レーザダイオードに供給される電流によりレーザ光量は制御される。
【０００３】
また、レーザダイオードの出力は、温度により変動し易い特性を有するので、レーザダイオードを一定光量で安定して発光させるには、常にレーザ光量をモニタしながら制御電流を増減させ続けることが必要である。従来から光ディスク記録再生装置では、一般的に、光ピックアップ内のレーザダイオードの近傍にフロントモニタと呼ばれるフォトダイオードを配し、そのモニタ検出信号によりレーザ光のパワー（光量）が所望の値となるように自動パワー制御（ＡＰＣ）を行っている。
【特許文献１】特開２００５−５６４８８号公報
【特許文献２】特開２００６−４８８２７号公報
【特許文献３】特開２００６−１７２６４３号公報
【発明の開示】
【発明が解決しようとする課題】
【０００４】
ところで、光ディスク記録再生装置では、開発時において、回路基板や光ピックアップの変更に対して、レーザ光の発光波形の補正が必要となる。その発光波形の補正を行うため、従来では、光ディスク記録再生装置において、検査員は、光ディスクの代わりに、オシロスコープに接続された光ファイバの入力端を配置し、光ピックアップのレーザダイオードから出射される特定パターンのレーザ光を、光ファイバを介してオシロスコープに入力し、電気信号に変換されたレーザ光の発光波形を観測して、その発光波形が基準波形に比べてパルス幅がずれている場合に補正するための補正値の確認を行っている。
【０００５】
しかしながら、オシロスコープを用いて補正値の確認作業は、光ディスク記録再生装置の開発時において、各装置の補正値のバラツキを抑えるため、各装置毎に行わなければならないので、時間が多くかかり、検査人員も多く必要となり、また、検証期間も長くなり、回路基板や光ピックアップの変更があっても開発期間が長くなると言う課題があった。
【０００６】
なお、特許文献１の従来技術では、記録動作開始直前に取り込まれた光検出器の反射光量から、所定期間の反射光和信号の平均値を算出して基準値を求め、記録動作開始後の光検出器の反射光量を、前記基準値と比較し、この比較結果に基づいてレーザパワーの目標値を補正しているが、各記録パターンに対してレーザ光の基準波形を設け、フロントモニタの検出信号による発光波形と前記基準波形とのズレを補正する補正値の算出に関しては開示されていない。
【０００７】
特許文献２の従来技術では、レーザダイオードからレーザパルスを発光させ、その時の発光波形をフロントモニタによる検出で測定し、この測定値からピークレベルとエンドレベルとの比、ミドルレベルとエンドレベルとの比を求め、これらの値から総合的にレーザダイオードの良否判定を行うようにしているが、この従来技術も、各記録パターンに対してレーザ光の基準波形を設け、フロントモニタの検出信号による発光波形と前記基準波形とのズレを補正する補正値の算出に関しては開示されていない。
【０００８】
特許文献３の従来技術では、光ピックアップを所望のパターンの信号波形で制御し、その信号波形で制御した時の光ピックアップの出力信号を計測し、この計測結果を分析して、光ピックアップの出力信号の振幅、周波数特性、位相遅延などを検査するようにしているが、この従来技術も、各記録パターンに対してレーザ光の基準波形を設け、フロントモニタの検出信号による発光波形と前記基準波形とのズレを補正する補正値の算出に関しては開示されていない。
【０００９】
本発明は、上記のような課題を解決するためになされたもので、各記録パターンに対してレーザ光の基準波形を設け、フロントモニタの検出信号による発光波形と前記基準波形とのズレを補正する補正値の算出を行うことができる光ディスク記録再生装置を提供することを目的とする。
【課題を解決するための手段】
【００１０】
上記目的を達成するために、請求項１の発明は、各記録パターンに対して前記光ピックアップのレーザダイオードから出射されるレーザ光の基準波形を示す特定パターンを予め記憶したメモリと、前記光ピックアップのレーザダイオードを前記特定パターンで駆動させ、前記特定パターンでのレーザ光の発光を行うレーザ発光制御手段と、前記レーザダイオードから出射されたレーザ光の出射光量をモニタするフロントモニタの検出信号により前記レーザ光の波形を検出するレーザ波形検出手段と、前記レーザ光の波形と前記特定パターンの波形とのズレ量が所定内であるか所定外であるかを判定するズレ量判定手段と、前記ズレ量が所定外であると判定されたとき、前記ズレ量を補正するための補正値を変更する補正値変更手段と、前記ズレ量が所定内であると判定されたとき、前記ズレ量に応じて前記レーザ光の波形に対する補正値を算出する補正値算出手段と、前記算出された補正値をメモリに記憶させる補正値記憶手段とを備えたことを特徴とする光ディスク記録再生装置を提供する。
【００１１】
この構成において、光ピックアップのレーザダイオードが特定パターンで駆動されて、特定パターンでのレーザ光の発光が行われる。前記レーザ光の波形と前記特定パターンの波形とのズレ量が所定内であるとき、前記ズレ量を補正するための補正値が変更される。前記ズレ量が所定内であるとき、前記ズレ量に応じて前記レーザ光の波形に対する補正値が算出され、メモリに記憶される。
【００１２】
この構成によれば、各記録パターンに対してレーザ光の基準波形を設け、フロントモニタの検出による発光波形と前記基準波形とのズレを補正する補正値の算出を行うことができ、これにより、各装置毎の補正値のバラツキを抑えることができ、補正値算出のための人員削減や検証期間の短縮が可能になり、回路基板や光ピックアップの変更があっても開発期間の短縮を図ることができる。
【００１３】
請求項２の発明では、請求項１の発明において、前記補正値算出手段により行われる補正値の算出は、ズレ量が所定内になるように補正するためのズレ量と補正値との関係を示すテーブルを参照して行うようにしたので、ズレ量に対応した補正値を簡単に算出することができる。
【００１４】
請求項３の発明では、請求項１の発明において、前記レーザ光の波形と前記特定パターンの波形とのズレ量は、前記レーザ光の波形のパルス幅から前記特定パターンの波形のパルス幅を差し引いて求めるようにしたので、ズレ量を簡単に算出することができる。
【発明の効果】
【００１５】
以上のように本発明によれば、各記録パターンに対してレーザ光の基準波形を設け、フロントモニタの検出による発光波形と前記基準波形とのズレを補正する補正値の算出を行うことができ、これにより、各装置毎の補正値のバラツキを抑えることができ、補正値算出のための人員削減や検証期間の短縮が可能になり、回路基板や光ピックアップの変更があっても開発期間の短縮を図ることができる。
【発明を実施するための最良の形態】
【００１６】
以下、添付図面を参照しつつ、本発明の実施の形態について説明する。図１は本発明の一実施形態に係る光ディスク記録再生装置の構成を示すブロック図である。
【００１７】
この光ディスク記録再生装置は、装置全体を制御するシステムコントローラ２２と、光ディスク１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じて、モータ駆動回路３４を通じてスピンドルモータ５、およびスレッド３を駆動すると共に、光ピックアップ２に内蔵された対物レンズ（図示せず）を動かすことによりレーザ光の焦点位置を光ディスク１の記録面に対して、垂直方向に移動させる制御（フォーカスサーボ）および水平方向に移動させる制御（トラッキングサーボ）を行うサーボ制御部４とを備えている。
【００１８】
また、この光ディスク記録再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００１９】
また、この光ディスク記録再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオＭＰＥＧデコーダ１５と、このビデオＭＰＥＧデコーダ１５でのデコード処理を行うためにデータを一時的に格納するＲＡＭ１４とを備えている。
【００２０】
また、この光ディスク記録再生装置は、システムコントローラ２２の指示に応じてビデオＭＰＥＧデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００２１】
また、この光ディスク記録再生装置は、システムコントローラ２２に対して、記録指示を与えるための記録キー、再生指示を与えるための再生キー、記録や再生の停止指示を与えるための停止キーなど、各種操作キーを有するリモコン２１と、このリモコン２１の操作キーよりも少ない操作キーを有する本体操作部（図示せず）とを備えている。また、この光ディスク記録再生装置は、装置の各構成要素を制御したり、装置全体を制御したりするためのプログラムやデータなどが記憶されたフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７とを備えている。
【００２２】
また、この光ディスク記録再生装置は、アンテナ２８に接続されるチューナ２９と、このチューナ２９で選局されたテレビジョン放送のアナログの映像音声信号、あるいは図示しないテレビジョン受信機や他の映像音声出力機器からの映像音声信号をデジタルの映像音声データに変換するＡ／Ｄ変換回路３０と、前記映像音声データをＭＰＥＧでエンコードするＭＰＥＧエンコーダ３１と、前記エンコードした映像音声データ（以下エンコードデータと言う）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００２３】
図２は本発明の一実施形態に係る光ディスク記録再生装置において光ピックアップから出射されるレーザ光のパワー制御および発光波形の基準波形に対するズレを補正するための補正値を算出する処理を説明するためのブロック図である。なお、図２において、図１に示す構成要素に対応するものには同一の符号を付す。
【００２４】
図２において、光ピックアップ２は、光ディスク１に対して情報の書き込み／読み出しを光学的に行うものであり、対物レンズ４１、レーザダイオード４２、グレーティング４３、ビームスプリッタ４４、光検出器４５、およびフロントモニタ４６を含み光学系が構成されている。
【００２５】
この光学系において、レーザダイオード４２から出射されたレーザ光は、グレーティング４３を通過して偏光された後、ビームスプリッタ４４に入射する。ビームスプリッタ４４は、入射されたレーザ光の殆どを対物レンズ４１に向かって反射させると共に、その入射されたレーザ光の一部をフロントモニタ４６に向かって通過させる。ビームスプリッタ４４で反射されたレーザ光は、対物レンズ４１を介して集光された状態で、光ディスク１の記録面に照射される。
【００２６】
その照射されたレーザ光は、光ディスク１の記録面で反射され、この反射光は、ビームスプリッタ４４を通過した後、光検出器４５により検出される。光検出器４５の出力は、ＲＦアンプ６を介してデジタル信号処理部８（図１参照）、およびフォーカスサーボやトラッキングサーボなどを行うサーボ制御部４（図１参照）に接続されている。また、フロントモニタ４６で検出された検出信号は、ＡＰＣ回路４７に入力され、ＡＰＣ回路４７では、その検出信号により、レーザダイオード４２から出射されるレーザ光のパワーが、所望の値となるように、レーザダイオード駆動回路４８を制御する。
【００２７】
また、各記録パターンに対して光ピックアップ２のレーザダイオード４２から出射されるレーザ光の基準波形を示す特定パターンがフラッシュＲＯＭ２３に予め記憶されている。システムコントローラ２２は、光ピックアップ２のレーザダイオード４２を、レーザダイオード駆動回路４８を介して前記特定パターンで駆動させ、前記特定パターンでのレーザ光の発光を行うレーザ発光制御手段２２１と、レーザダイオード４２から出射されたレーザ光の光量をモニタするフロントモニタ４６の検出信号により前記レーザ光の波形を検出するレーザ波形検出手段２２２と、前記レーザ光の波形と前記特定パターンの波形とのズレ量が所定内であるか所定外であるかを判定するズレ量判定手段２２３と、前記ズレ量が所定外であると判定されたとき、前記ズレ量を補正するための補正値を変更する補正値変更手段２２４と、前記ズレ量が所定内であると判定されたとき、前記ズレ量に応じて前記レーザ光の波形に対する補正値を算出する補正値算出手段２２５と、前記算出された補正値をフラッシュＲＯＭ２３に記憶させる補正値記憶手段２２６とを有する。
【００２８】
図３は本実施形態においてレーザ光の波形と特定パターンの波形の一例を示す波形図である。図３において、５１はパルス幅Ｔの基準波形を示す特定パターンの波形を示し、５２はパルス幅Ｔ１のレーザ光の波形を示す。ｔは、特定パターンの波形５１に対するレーザ光の波形５２のズレ量を示す。この場合のズレ量ｔは、ｔ＝Ｔ１−Ｔ  と言う計算式で求められる。
【００２９】
図４は本実施形態においてレーザ光の波形と特定パターンの波形とのズレを補正するための補正値を算出する処理を説明するためのフローチャートである。このフローチャートおよび図１〜図３を参照してレーザ光の波形と特定パターンの波形とのズレを補正するための補正値を算出する処理について説明する。
【００３０】
先ず、レーザ発光制御手段２２１は、基準波形を示す特定パターンをフラッシュＲＯＭ２３から読み出し（ステップＳ１）、レーザダイオード駆動回路４８を制御して、光ピックアップ２のレーザダイオード４２を前記特定パターンで駆動させ、前記特定パターンでのレーザ光の発光を行う（ステップＳ２）。
【００３１】
そして、レーザ波形検出手段２２２は、レーザダイオード４２から出射されたレーザ光を受光するフロントモニタ４６の検出信号により前記レーザ光の波形を検出する（ステップＳ３）。この後、ズレ量判定手段２２３は、前記レーザ光の波形と前記特定パターンの波形とのズレ量が所定内であるか所定外であるかを判定する（ステップＳ４）。
【００３２】
そして、前記ズレ量が所定外であると判定されたとき、補正値変更手段２２４は、前記ズレ量を補正するための補正値を変更する（ステップＳ５）。例えば、図３に示すように、レーザ光の波形５２と特定パターンの波形５１とのズレ量ｔが所定外（Ｓｐｅｃ外）であるとは、レーザ光の波形５２のパルス幅をＴ１、特定パターンの波形５１のパルス幅をＴとすると、ズレ量ｔは、ｔ＝Ｔ１−Ｔ  で算出でき、ズレ量ｔが所定外（Ｓｐｅｃ外）であれば、ズレ量ｔが所定内（Ｓｐｅｃ内）に対する補正値は役立たないことになるので、所定外であるときのズレ量ｔに対して補正値を変更しなければならないので、ステップＳ５の処理が行われる。
【００３３】
ステップＳ５の処理により変更された補正値を考慮して、レーザ発光制御手段２２１は、レーザダイオード駆動回路４８を制御して、光ピックアップ２のレーザダイオード４２を前記特定パターンで駆動させ、前記特定パターンでのレーザ光の発光を行う（ステップＳ２）。
【００３４】
そして、レーザ波形検出手段２２２は、レーザダイオード４２から出射されたレーザ光を受光するフロントモニタ４６の検出信号により前記レーザ光の波形を検出する（ステップＳ３）。この後、ズレ量判定手段２２３は、前記レーザ光の波形と前記特定パターンの波形とのズレ量が所定内であるか所定外であるかを判定する（ステップＳ４）。
【００３５】
前記ズレ量が所定内であると判定されたとき、補正値算出手段２２５は、前記ズレ量に応じて前記レーザ光の波形に対する補正値を算出する（ステップＳ６）。即ち、補正値算出手段２２５は、例えば、図３に示すように、レーザ光の波形５２のパルス幅Ｔ１が特定パターンの波形５１のパルス幅Ｔに近づき、レーザ光の波形５２のパルス幅Ｔ１と特定パターンの波形５１のパルス幅Ｔとのズレ量ｔが所定内に入るように、ズレ量と補正値との関係を示すテーブルを参照して目標とする補正値を算出する。
【００３６】
この後、補正値記憶手段２２６は、前記算出された補正値をフラッシュＲＯＭ２３に記憶させる（ステップＳ７）。その補正値は、光ディスク記録再生装置の記録動作の過程で、光ピックアップ２のレーザダイオード４２を駆動させるときに用いられる。
【００３７】
以上説明したように本実施形態によれば、各記録パターンに対してレーザ光の基準波形を設け、フロントモニタの検出信号による発光波形と前記基準波形とのズレを補正する補正値の算出を行うことができ、これにより、各装置毎の補正値のバラツキを抑えることができ、補正値算出のための人員削減や検証期間の短縮が可能になり、回路基板や光ピックアップの変更があっても開発期間の短縮を図ることができる。
【産業上の利用可能性】
【００３８】
本発明は、ＤＶＤレコーダなどの光ディスク記録再生装置におけるレーザ光の発光波形の補正処理に利用可能である。
【図面の簡単な説明】
【００３９】
【図１】本発明の一実施形態に係る光ディスク記録再生装置の構成を示すブロック図である。
【図２】本発明の一実施形態に係る光ディスク記録再生装置において光ピックアップから出射されるレーザ光のパワー制御および発光波形の基準波形に対するズレを補正するための補正値を算出する処理を説明するためのブロック図である。
【図３】前記実施形態においてレーザ光の波形と特定パターンの波形の一例を示す波形図である。
【図４】前記実施形態においてレーザ光の波形と特定パターンの波形とのズレを補正するための補正値を算出する処理を説明するためのフローチャートである。
【符号の説明】
【００４０】
１    光ディスク
２    光ピックアップ
２３    フラッシュＲＯＭ（メモリ）
４２    レーザダイオード
４６    フロントモニタ
２２１    レーザ発光制御手段
２２２    レーザ波形検出手段
２２３    ズレ量判定手段
２２４    補正値変更手段
２２５    補正値算出手段
２２６    補正値記憶手段
【図１】
2009026422.tif 000003
【図２】
2009026422.tif 000004
【図３】
2009026422.tif 000005
【図４】
2009026422.tif 000006